(57)【要約】【課題】  本発明は上記問題を解決するために成されたもので、レンズの有する特定のスイッチが操作された場合、カメラ本体の制御、特にオートフォーカス制御を含む連続した一連の制御動作を行うことが可能なカメラシステムを提供する。【解決手段】レンズが第１のカメラと接続されたときは、レンズＳＷ１８（操作手段）がカスタムファンクション設定機能（選択手段）により選択された機能で動作し、レンズが第２のカメラと接続されたときはレンズＳＷ１８が選択手段の操作に応じてカメラの焦点検出手段（焦点検出回路１０５）を起動し、焦点検出手段の検出結果に基づいて距離環駆動手段（光検出器３５、パルス板３６、モーター１６）を駆動するように構成される。【選択図】  図２
2005173258.tif 000002
【特許請求の範囲】
【請求項１】
操作手段を有するレンズに設けられた操作手段の機能を選択する選択手段を有する第１のカメラと、前記レンズに設けられた操作手段の機能を選択する選択手段を有さない第２のカメラとに対し、前記レンズが前記第１および第２のカメラに着脱可能であるカメラシステムにおいて、
前記レンズは距離環駆動手段を有し、
第２のカメラは焦点検出手段を有し
前記レンズが第１のカメラと接続されたときは前記レンズの操作手段は、前記選択手段により選択された機能で動作し、前記レンズが第２のカメラと接続されたときは前記レンズの操作手段は、前記選択手段の操作に応じてカメラの焦点検出手段を起動し、焦点検出手段の検出結果に基づいて距離環駆動手段を駆動することを特徴とするカメラシステム
【請求項２】
第１の操作手段を有するレンズに設けられた第１の操作手段の機能を選択する選択手段を有する第１のカメラと、前記レンズに設けられた第１の操作手段の機能を選択する選択手段を有さない第２のカメラとに対し、前記レンズが前記第１および第２のカメラに着脱可能であるカメラシステムにおいて、
前記レンズは距離環駆動手段を有し、
第２のカメラは焦点検出手段と第２の操作手段を有し、さらに第２のカメラはカメラの第１の焦点検出モードと第２の焦点検出モードを切替える切替え手段を有し、前記レンズが第１のカメラと接続されたときは前記レンズの第１の操作手段は、前記選択手段により選択された機能で動作し、
前記レンズが第２のカメラと接続されたときは、前記レンズの第１の操作手段は、前記選択手段の操作に応じて動作し、第１の操作手段を操作するとともに前記第２の操作手段が操作されたときは、カメラの第１の焦点検出モードと第２の焦点検出モードを切替え、第２の焦点検出モードで焦点検出手段を起動し、焦点検出手段の検出結果に基づいて距離環駆動手段を駆動することを特徴とするカメラシステム
【請求項３】
操作手段を有するレンズに設けられた第１の操作手段の機能を選択する選択手段を有する第１のカメラと、前記レンズに設けられた操作手段の機能を選択する選択手段を有さない第２のカメラとに対し、前記レンズが前記第１および第２のカメラに着脱可能であるカメラシステムにおいて、
前記レンズは距離環駆動手段を有し、
第２のカメラは焦点検出手段を有し、さらに第２のカメラはカメラの第１の焦点検出モードと第２の焦点検出モードを切替える切替え手段を有し
前記レンズが第１のカメラと接続されたときは前記レンズの第１の操作手段は、前記選択手段により選択された機能で動作し、
前記レンズが第２のカメラと接続されたときは、前記レンズの操作手段は、前記選択手段の操作に応じて、カメラの第１の焦点検出モードと第２の焦点検出モードを切替え、第２の焦点検出モードで焦点検出手段を起動し、焦点検出手段の検出結果に基づいて距離環駆動手段を駆動することを特徴とするカメラシステム
【請求項４】
前記第１の焦点検出モードはワンショットＡＦモードであり、
前記第２の焦点検出モードはサーボＡＦモードであることを特徴とした請求項２又は３記載のカメラシステム。
【発明の詳細な説明】
【技術分野】
【０００１】
本発明は、カメラ等の光学機器本体と、光学機器本体に着脱可能な付属機器に関するものであり、特に、高度に電子化されたカメラ本体と交換レンズなどの付属機器の距離環制御に関するものである。
【背景技術】
【０００２】
従来、高度に電子化されたカメラ本体と交換レンズなどの付属機器の距離環制御においてカメラからレンズへ通信を行うカメラシステムが知られている。
【０００３】
また、一部の交換レンズに操作スイッチを備えたカメラシステムにおいて、カメラのカスタムファンクション設定値ごとに制御内容が変動するカメラシステムが知られている。
【０００４】
従来のカメラシステムにおいては、カメラと付属機器の通信形態は、カメラがマスター機器、レンズなどの付属機器がスレーブ機器である。
【０００５】
カメラの制御スイッチが操作された場合，カメラの設定値に応じて、カメラ本体を制御するのみならず、レンズなどの付属機器の制御をすることができ、これにより撮影者が操作しやすいカメラシステムを構成している。
【０００６】
また、カスタムファンクション機能を有するカメラにおいて、レンズなどの付属機器の操作スイッチが押された場合の制御を付属機器の設定情報に関係なくカメラ側がカスタムファンクション設定された情報にもとづいて制御するカメラシステムが設けられていた。
【特許文献１】特開平０８−３１３７９７号公報
【発明の開示】
【発明が解決しようとする課題】
【０００７】
しかし、従来これらのカメラシステムにおいては、付属機器のスイッチ手段とカメラ制御内容の組合せが複雑化することにより、必ずしも撮影者に使用しやすいカメラシステムになっていないという問題がある。
【０００８】
また、カスタムファンクション機能に対応していないカメラの場合、レンズなど付属機器のスイッチを操作しても機能しない付属機器があり、組合せにより機能しないことから、レンズなど付属機器の有するスイッチ機能を生かしきれていないという問題がある。
【０００９】
本発明は上記問題を解決するために成されたもので、レンズの有する特定のスイッチが操作された場合、カメラ本体の制御、特にオートフォーカス制御を含む連続した一連の制御動作を行うことが可能なカメラシステムを提供するものである。
【００１０】
さらに、カメラにカスタムファンクション機能を有しない場合であっても、レンズ固有の制御情報に基づいて、カメラ本体の制御および付属機器の制御、特にオートフォーカス制御を含む連続した一連の制御動作を行うことが可能なカメラシステムを提供するものである。
【課題を解決するための手段】
【００１１】
上記課題を解決するために、本発明のカメラシステムは、操作手段を有するレンズレンズに設けられた操作手段の機能を選択する選択手段を有する第１のカメラと前記レンズに設けられた操作手段の機能を選択する選択手段を有さない第２のカメラとに対し、前記レ
ンズは前記第１および第２のカメラに着脱可能であるカメラシステムにおいて、
前記レンズは距離環駆動手段を有し、
第２のカメラは焦点検出手段を有し
前記レンズが第１のカメラと接続されたときは前記レンズの操作手段は、前記選択手段により選択された機能で動作し、前記レンズが第２のカメラと接続されたときは前記レンズの操作手段は、前記選択手段の操作に応じてカメラの焦点検出手段を起動し、焦点検出手段の検出結果に基づいて距離環駆動手段を駆動するように構成される。
【発明の効果】
【００１２】
本発明によれば、カスタムファンクション設定機能を有しないカメラにおいて、レンズ釦ＳＷの操作によりレンズのサーチ動作を開始および停止させることができる。これにより、レンズ釦ＳＷをオンすると常時ＡＦサーチし、レンズ釦ＳＷを開放するとＡＦストップするので、サーチ動作に必要とする操作が１つの釦ＳＷのオンとオフで構成できる。
【００１３】
さらに、レンズサーチ動作を切替える機能を有するレンズ釦ＳＷを有し、レンズ釦ＳＷをオンするとワンショットＡＦモードから切り替わり、サーボＡＦモードになる。これによりＡＦモードの切替に必要とする操作が２つの釦ＳＷのオンで構成し、ＡＦ操作の操作性が向上する。
【００１４】
また、レンズ釦ＳＷの操作によりとワンショットＡＦモードからサーボＡＦモードに切り替える動作とレンズのサーチ動作を開始および停止させる動作と同時に行うことが可能となり、レンズ釦ＳＷをオンすると常時ＡＦサーチし、レンズ釦ＳＷを開放するとＡＦストップするので、サーチ動作に必要とする操作が１つの釦ＳＷのオンとオフで構成できる。
【００１５】
以上により、カスタムファンクション設定機能を有しないカメラにおいてレンズの有する特定のスイッチが操作された場合、カメラ本体の制御、特にオートフォーカス制御を含む連続した一連の制御動作を行うことが可能なカメラシステムを提供することができる。
【発明を実施するための最良の形態】
【００１６】
以下に本発明の実施例について説明する。
【実施例１】
【００１７】
以下に、カメラシステムにおける本発明の第１の実施例を図１〜図３に基づいて説明する。
【００１８】
図１は本発明を一眼レフレックスカメラに適用して実施したフラッシュ制御カメラシステムの主に光学的な構成を説明した横断面図である。１はカメラ本体であり、この中に光学部品、機械部品、電気回路、モーター、フィルム、などを収容し、写真撮影ができるようになっている。２は主ミラーであり、観察状態と撮影状態に応じて撮影光路へ斜設されあるいは撤去される。
【００１９】
また、主ミラー２はハーフミラーであり、斜設されているときも後述する焦点検出光学系に被写体からの光線の約半分を透過させている。３は撮影レンズ１２〜１４の予定結像面に配置されたピント板、４はファインダー光路変更のためのペンタダハプリズム、５はファインダーであり撮影者はこの窓よりピント板３を観察することで、撮影画面を観察することができる。６、７は観察画面内の被写体輝度を測定するための結像レンズと光電センサーで、結像レンズ６はペンタダハプリズム４内の反射光路を介してピント板３と光電センサー７を共役に関係付けている。８はシャッター、９は感光部材で、銀塩フィルム等により成っている。２３、２４はフィルム面の反射輝度を測定するための結像レンズと調
光センサーで、結像レンズ２３はフィルム面の像を調光センサー上に結んでいる。調光センサー２４は、フィルム面で反射して得られるフラッシュの発光エネルギーを積分し所望の光量に達したらフラッシュマイコンに発光停止を伝達する。２５はサブミラーであり、被写体からの光線を下方に折り曲げて、焦点検出ユニット２６へ導く。
【００２０】
焦点検出ユニット２６は、２次結像ミラー２７、２次結像レンズ２８、焦点検出ラインセンサ２９などより構成される。２次結像ミラー２７、２次結像レンズ２８は、焦点検出光学系を構成しており、撮影光学系の２次結像面を焦点検出ラインセンサ２９上に結んでいる。
【００２１】
焦点検出ユニット２６は後述の電気回路の処理により既知の位相差検出法により撮影画面内の被写体の焦点状態を検出する。この焦点状態に応じて撮影レンズの焦点調節機構を制御することにより自動焦点検出装置を実現している。
【００２２】
１０はカメラ１とレンズのインターフェイスとなるマウント接点群であり、１１はカメラに据え付けられるレンズ鏡筒である。１２〜１４は撮影レンズであり、１２は１群レンズで光軸上を前後に移動することで撮影画面のピント位置を調節することができる。１３は２群レンズで光軸上を前後に移動することで撮影画面の変倍となり、撮影レンズの焦点距離が変更される。１４は３群固定レンズである。１５は撮影レンズ絞りである。１６は１群レンズ駆動モーターであり、自動焦点調節動作に応じて１群レンズ１２を前後に移動させることによりピント位置を調節することができる。１７はレンズ絞り駆動モーターであり、撮影レンズ絞り１５を所望される絞り径に駆動する。１８はプッシュスイッチであり、押し込むことにより閉成される。
【００２３】
次に、第２図は本発明のカメラ本体と交換レンズなどの距離環制御システムの電気回路ブロックを示している。図１と対応する部材には同じ番号が付されている。    
【００２４】
カメラの処理手段としてカメラマイコン１００は、発振器１０１で作られるクロックをもとに内部の動作が行われる。
【００２５】
記憶手段としてのＥＥＰＲＯＭ１０１ｂは、フィルムカウンタその他の撮影情報を記憶可能である。１００ｃのＡ／Ｄ（アナログ−デジタル変換器）は焦点検出回路１０５、測光回路１０６からのアナログ信号をＡ／Ｄ変換し、カメラマイコン１００はこのＡ／Ｄ値を信号処理することにより各種の動作を行う。
【００２６】
カメラマイコン１００には、焦点検出回路１０５、測光回路１０６、シャッター制御回路１０７、モーター制御回路１０８、フィルム走行検知回路１０９、スイッチセンス回路１１０、ＬＣＤ駆動回路１１１が接続されている。また撮影レンズ内に配置されたレンズ制御回路としてのレンズマイコン１１２とはマウント接点群１０を介して信号の伝達がなされ、フラッシュ装置とはフラッシュ接点群２２を介してフラッシュ装置内のフラッシュマイコン２００と信号の伝達がされる。
【００２７】
ラインセンサ２９は、ファインダー上の３つの測距点に対応した３組のラインセンサＬｉｎｅ−Ｌ（左）、Ｌｉｎｅ−Ｃ（中央）、Ｌｉｎｅ−Ｒ（右）、で構成する公知のＣＣＤラインセンサである。焦点検出回路１０５はカメラマイコン１００（ＭＰＵ）の信号に従い、これらラインセンサ２９の蓄積制御と読出制御を行って、それぞれの画素情報をカメラマイコン１００に出力する。カメラマイコン１００はこの情報をＡ／Ｄ変換し、既知の位相差検出法により撮影画面内の被写体の焦点状態を検出する。
【００２８】
カメラマイコン１００は焦点検出結果に応じてレンズマイコン１１２と信号のやりとり
を行うことにより、焦点調節機構を駆動する。
【００２９】
測光回路１０６は画面内の各エリアの輝度信号として、画面内を６個のエリアに分割した多分割測光センサー７からの出力をカメラマイコン１００に取り込む。測光回路１０６は、定常状態では輝度信号を出力し、
カメラマイコン１００は、その輝度信号をＡ／Ｄ変換し、撮影の露出の調節のための絞り値の演算とシャッタースピードの演算を行う。
【００３０】
シャッター制御回路１０７はカメラマイコン１００からの信号に従って、フォーカルプレーンシャッター８を構成するシャッター先幕駆動マグネットＭＧ−１および、シャッター後幕駆動マグネットＭＧ−２を走行させ、感光部材への露出制御を行う。
【００３１】
モーター制御回路１０８は、カメラマイコン１００からの信号に従って、モーターを制御することにより、主ミラー２のアップダウンおよびシャッターのチャージ、そしてフィルムの給送を行う。
【００３２】
フィルム走行検知回路１０９は、フィルムの給送時にフィルム１駒分を巻き上げたかを検知しカメラマイコン１００に給送信号を伝達する。
【００３３】
ＳＷ１は不図示のレリーズ釦の第１ストロークでＯＮするスイッチであり、ＳＷ１をＯＮすると測光制御、焦点検出制御を開始する。
【００３４】
ＳＷ２は不図示のレリーズ釦の第２ストロークでＯＮするスイッチであり、露光動作を開始するスイッチとなる。
【００３５】
ＳＷ１、ＳＷ２、その他不図示のカメラの操作部材からの信号はスイッチセンス回路１１０が検知し、カメラマイコン１００に伝達する。
【００３６】
液晶表示回路１１１はファインダー内ＬＣＤ２４と不図示のモニター用ＬＣＤ４２の表示をカメラマイコン１００からの信号に応じて制御している。
【００３７】
次に  カメラマイコン１００レンズ間のインターフェイス端子の説明を行う。
【００３８】
ＬＣＫはレンズとのシリアル通信を行うための同期クロックの出力端子、ＬＤＯはレンズとのシリアル通信を行うためのシリアルデータ出力端子、ＬＤＩはレンズとのシリアル通信を行うためのシリアルデータ入力端子である。
【００３９】
次にレンズの構成について説明を行う。カメラ本体１とレンズはレンズマウント接点群１０を介して相互に電気的に接続される。このレンズマウント接点群１０はレンズのフォーカス駆動用モーター１６および、絞り駆動用モーター１７の電源用接点であるＬ０、レンズマイコン１１２の電源用接点であるＬ１、公知のシリアルデータ通信を行うための同期クロック用接点Ｌ２、カメラからレンズへのリアルデータを送信するためのシリアルデータ用接点Ｌ３、レンズからカメラへシリアルデータを送信するためのシリアルデータ用接点Ｌ４、前記モーター用電源に対するグランド接点であるＬ５、レンズマイコン１１２用電源に対するグランド接点であるＬ６で構成されている。
【００４０】
レンズマイコン１１２はこれらレンズマウント接点群１０を介してカメラマイコン１０
０と接続され、１群レンズ駆動モーター１６およびレンズ絞り駆動モーター１７を動作させ、レンズの焦点調節と絞り制御を行っている。３５、３６は光検出器とパルス板であり、レンズマイコン１１２がパルス数を計数することにより１群レンズの位置情報を得るこ
とができ、焦点調節を行うことができる。
【００４１】
１８はＳＷであり、レンズマイコンに接続しており、閉成することによりフォーカス制御駆動を開始するものである。
【００４２】
図３はフローチャートである。
【００４３】
図３において、ステップ１０１は、カメラマイコン１００はスタンバイ状態である。
【００４４】
ステップ２０１において、撮影者によりレンズＳＷ１８が操作されると、ＳＷ１８を接続しているレンズマイコン１１２が起動する。
【００４５】
レンズマイコン１１２は通信インターフェース（ＬＤＩ）を介してカメラマイコンに通信要求割り込みを行う。
【００４６】
ステップ１０２において、カメラマイコン１００はスタンバイ状態から起動状態へ移行しレンズ通信を許可する。
【００４７】
ステップ１０３において、カメラマイコン１００はレンズ通信コマンドを発行するとともに、カメラ内部の設定値のうち、カメラ撮影モード、カメラＩＤ番号、レンズ制御に使用する設定値など各種設定値をレンズマイコン１１２へ送信する。
【００４８】
ステップ２０２において、レンズマイコン１１２は、レンズ通信コマンドを受信し、レンズ内部状態フラグとスイッチ状態をカメラマイコン１００へ返信するとともにカメラ内部の設定値を受信する。これにより、レンズＳＷ１８が操作され、レンズ駆動可能な状態であるかをカメラマイコン１００へ伝達する。カスタムファンクション設定機能を有しないカメラであるため、レンズＳＷ１８の操作に応じて、ダイレクトに以下の処理へ移行する。
【００４９】
ステップ１０４において、カメラマイコン１００はバッテリチェックを行い、カメラのバッテリ状態が正常な範囲であるかを確認し、正常あればステップ１０５以降へ進み、バッテリが異常状態であれば、以下の処理を中断し、異常終了となる。
ステップ１０５において、カメラマイコン１００は、ワンショットＡＦモードに設定するとともに焦点検出回路１０５を作動させる。
【００５０】
ワンショットＡＦモードとは、レリーズスイッチＳＷ２の割込みを禁止し、いわゆる合焦状態に無い場合には、レリーズシーケンスへ移行しない。一方、合焦状態に達したと判断した場合には、レリーズシーケンスへ移行する。
【００５１】
これに対し、サーボＡＦモードとは、レリーズスイッチＳＷ２の割込みを禁止しないものであり、常時ＳＷ２の入力状態を監視し、ＳＷ２の入力があれば即座に、レリーズシーケンスへ移行する。いわゆる合焦状態に無くても、レリーズシーケンスへ移行する点がワンショットＡＦモードと異なる。
【００５２】
ステップ１０６において、ＳＷ２の割込みを禁止することにより、ワンショットＡＦモードを開始する。
【００５３】
ステップ１０７において、カメラマイコン１００は、焦点検出回路１０５の出力をＡ／Ｄ変換器１００ｃで検出し、さらに位相差検出方式による所謂相関演算を行い、デフォーカス量を算出する。
【００５４】
デフォーカス量が所定量未満の場合は、ステップ１０９へ進む。
デフォーカス量が所定量より大きい場合は、ここで得られたデフォーカス量をレンズマイコン１１２へ送信する。
【００５５】
ステップ２０３において、レンズマイコン１１２はカメラマイコン１００からデフォーカス量を受信する。このデフォーカス量に基づいて、駆動パルス量を算出する。
【００５６】
ステップ２０４において、フォーカス駆動モーター１６を制御開始する。３５、３６は光検出器とパルス板であり、レンズマイコン１１２がパルス数を計数することにより１群レンズの位置情報を得ることができ、焦点調節を行うことができる。
【００５７】
ステップ２０５において、レンズＳＷ１８を監視し、レンズＳＷ１８が撮影者によりオンしている状態を継続していれば、ステップ２０６以降へ進み、レンズＳＷ１８がオフされた場合には、ステップ２０７へ移行しモーター１６の駆動を停止することにより、レンズサーチ動作を停止する。
【００５８】
ステップ２０６において、光検出器３５、パルス板３６によるパルス数をカウントし、所定パルス数に達しているか、検出する。所定パルス数に達している場合は停止位置に到達したと判断し、ステップ２０７へ移行し、モーター１６の駆動を停止する。所定パルス数に達していない場合は、停止位置でないと判断し、ステップ２０４へ移行し、モーター１６の駆動をさらに繰り返して行う。ステップ２０７において、モーター１６の駆動を停止しステップ２０８へ移行する。
【００５９】
ステップ２０８において、次のコマンドを受信するか、撮影者による操作を待つ。一方カメラマイコン１００において、ステップ１０８へ移行し、ステータス要求コマンドを送信し、レンズマイコン１１２の処理状況を検出する。レンズが所定のデフォーカス量に相当するサーチ動作を行ったあとモーター１６の駆動を停止した場合は、ステップ１０７へ移行しデフォーカス量を算出する。
【００６０】
ステップ１０９において、ＳＷ２割込み入力の禁止を解除するとともに、レリーズシーケンスへ移行する。
【００６１】
以上のフローチャート手順により、レンズＳＷ１８を操作すると、一連の動作としてカメラの焦点検出制御機能を起動し、レンズサーチを行うことができる。また、レンズＳＷ１８をオフすると直ちに、レンズ駆動停止を行うことができる。
【００６２】
なお、語句の対応として、レンズに設けられたＳＷ１８は、操作手段、カメラに設けられたカスタムファンクション設定機能は選択手段、レンズに設けられた光検出器３５、パルス板３６、モーター１６は、距離環駆動手段に対応し、さらに、カメラに設けられた焦点検出回路１０５は焦点検出手段、カメラに設けられたＳＷ１は第２の操作手段、カメラに設けられたワンショットＡＦモードが第１の焦点検出モードとなり、カメラに設けられたサーボＡＦモードが第２の焦点検出モードとなる。そして、ワンショットＡＦモードとサーボＡＦモードとの切替えを行うカメラマイコン１００が切替え手段となっている。
【実施例２】
【００６３】
次に、図４は本発明に係る第２の実施例をあらわすフローチャートである。
【００６４】
図４において、ステップ３０１は、撮影者によりＳＷ１が操作されるとカメラマイコン１００は起動する。
【００６５】
ステップ２０１において、撮影者によりレンズＳＷ１８が操作されると、ＳＷ１８を接続しているレンズマイコン１１２が起動する。レンズマイコン１１２は通信インターフェイス（ＬＤＩ）を介してカメラマイコンに通信要求割り込みを行う。
【００６６】
ステップ３０２において、カメラマイコン１００はスタンバイ状態から起動状態へ移行しレンズ通信を許可する。
【００６７】
ステップ３０３において、カメラマイコン１００はレンズ通信コマンドを発行するとともに、カメラ内部の設定値のうち、カメラ撮影モード、カメラＩＤ番号、レンズ制御に使用する設定値など各種設定値をレンズマイコン１１２へ送信する。
【００６８】
ステップ２０２において、レンズマイコン１１２は、レンズ通信コマンドを受信し、レンズ内部状態フラグとスイッチ状態をカメラマイコン１００へ返信するとともにカメラ内部の設定値を受信する。これにより、レンズＳＷ１８が操作され、レンズ駆動可能な状態であるかをカメラマイコン１００へ伝達する。カスタムファンクション設定機能を有しないカメラであるため、レンズＳＷ１８の操作に応じて、ダイレクトに以下の処理へ移行する。
【００６９】
ステップ３０４において、カメラマイコン１００はバッテリチェックを行い、カメラのバッテリ状態が正常な範囲であるかを確認し、正常あればステップ３０５以降へ進み、バッテリが異常状態であれば、以下の処理を中断し、異常終了となる。
【００７０】
ステップ３０５において、カメラマイコン１００は、ワンショットＡＦモードとサーボＡＦモードを切替え、本実施例ではサーボＡＦモードに設定するとともに焦点検出回路１０５を作動させる。
【００７１】
ステップ３０６において、ＳＷ２の割込みを許可することにより、サーボＡＦモードを開始する。
【００７２】
ステップ３０７において、カメラマイコン１００は、焦点検出回路１０５の出力をＡ／Ｄ変換器１００ｃで検出し、さらに位相差検出方式による所謂相関演算を行い、デフォーカス量を算出する。デフォーカス量が所定量未満の場合は、ステップ３０９へ進む。デフォーカス量が所定量より大きい場合は、ここで得られたデフォーカス量をレンズマイコン１１２へ送信する。
【００７３】
レンズマイコンの制御ステップ２０３〜ステップ２０８は、図３における説明と同じであり重複するので省略する。
【００７４】
カメラマイコン１００はステップ３０８へ移行し、ステータス要求コマンドを送信し、レンズマイコン１１２の処理状況を検出する。レンズが所定のデフォーカス量に相当するサーチ動作を行ったあとモーター１６の駆動を停止した場合は、ステップ３０７へ移行してデフォーカス量を算出する。そして、ステップ３０９において、レリーズシーケンスへ移行する。
【００７５】
以上のフローチャート手順により、レンズＳＷ１８とカメラＳＷ１を操作すると、サーボＡＦモードに移行し、一連の動作としてカメラの焦点検出制御機能を起動し、レンズサーチを行うことができる。
【実施例３】
【００７６】
次に、図５は本発明に係る第３の実施例をあらわすフローチャートである。
【００７７】
図５において、ステップ４０１において、カメラマイコン１００はスタンバイ状態にある。
【００７８】
ステップ２０１において、撮影者によりレンズＳＷ１８が操作されると、ＳＷ１８を接続しているレンズマイコン１１２が起動する。
【００７９】
レンズマイコン１１２は通信インターフェイス（ＬＤＩ）を介してカメラマイコンに通信要求割り込みを行う。
【００８０】
ステップ４０２において、カメラマイコン１００はスタンバイ状態から起動状態へ移行しレンズ通信を許可する。
【００８１】
ステップ４０３において、カメラマイコン１００はレンズ通信コマンドを発行するとともに、カメラ内部の設定値のうち、カメラ撮影モード、カメラＩＤ番号、レンズ制御に使用する設定値など各種設定値をレンズマイコン１１２へ送信する。
【００８２】
ステップ２０２において、レンズマイコン１１２は、レンズ通信コマンドを受信し、レンズ内部状態フラグとスイッチ状態をカメラマイコン１００へ返信するとともにカメラ内部の設定値を受信する。これにより、レンズＳＷ１８が操作され、レンズ駆動可能な状態であるかをカメラマイコン１００へ伝達する。カスタムファンクション設定機能を有しないカメラであるため、レンズＳＷ１８の操作に応じて、ダイレクトに以下の処理へ移行する。
【００８３】
ステップ４０４において、カメラマイコン１００はバッテリチェックを行い、カメラのバッテリ状態が正常な範囲であるかを確認し、正常あればステップ４０５以降へ進み、バッテリが異常状態であれば、以下の処理を中断し、異常終了となる。
【００８４】
ステップ４０５において、カメラマイコン１００は、ワンショットＡＦモードに設定するとともに焦点検出回路１０５を作動させる。ワンショットＡＦモードとサーボＡＦモードを切替え、サーボＡＦモードとなる。ステップ４０６において、ＳＷ２の割込みを許可することにより、サーボＡＦモードを開始する。
【００８５】
ステップ４０７において、カメラマイコン１００は、焦点検出回路１０５の出力をＡ／Ｄ変換器１００ｃで検出し、さらに位相差検出方式による所謂相関演算を行い、デフォーカス量を算出する。
【００８６】
デフォーカス量が所定量未満の場合は、ステップ４０９へ進む。デフォーカス量が所定量より大きい場合は、ここで得られたデフォーカス量をレンズマイコン１１２へ送信する。レンズマイコンの制御ステップ２０３〜ステップ２０８は、図３における説明と同じであり重複するので省略する。
【００８７】
カメラマイコン１００はステップ４０８へ移行し、ステータス要求コマンドを送信し、レンズマイコン１１２の処理状況を検出する。レンズが所定のデフォーカス量に相当するサーチ動作を行ったあとモータ１６の駆動を停止した場合は、ステップ４０７へ移行しデフォーカス量を算出する。ステップ４０９において、レリーズシーケンスへ移行する。
【００８８】
以上のフローチャート手順により、レンズＳＷ１８を操作すると、サーボＡＦモードに移行し、一連の動作としてカメラの焦点検出制御機能を起動し、レンズサーチを行うこと
ができる。また、ＳＷ１８をオフすると直ちに、レンズ駆動停止を行うことができる。
【図面の簡単な説明】
【００８９】
【図１】本発明の構成をあらわす断面図である。
【図２】本発明のブロック図である。
【図３】本発明の第１の実施例に係るフローチャートである。
【図４】本発明の第２の実施例に係るフローチャートである。
【図５】本発明の第３の実施例に係るフローチャートである。
【符号の説明】
【００９０】
１          カメラ本体
２          主ミラー
３          ピント板
４          ペンタダハプリズム
５          ファインダー
６          結像レンズ
７          光電センサー
８          シャッター
９          感光部材
１０        マウント接点群
１１        レンズ鏡筒
１２〜１４  撮影レンズ
１３        ２群レンズ
１４        ３群固定レンズ
１５        撮影レンズ絞り
１６        １群レンズ駆動モーター
１７        レンズ絞り駆動モーター
１８        プッシュスイッチ（レンズＳＷ）
２２        フラッシュ接点群
２３        結像レンズ
２４        調光センサー
２５        サブミラー
２６        焦点検出ユニット
２７、２８  ２次結像ミラー
２９        焦点検出ラインセンサ
３５        光検出器
３６        パルス板
１００      カメラマイコン
１０１      発振器
１０１ｂ    ＥＥＰＲＯＭ
１００ｃ    Ａ／Ｄ（アナログ−デジタル変換器）
１０５      焦点検出回路
１０６      測光回路
１０７      シャッター制御回路
１０８      モーター制御回路
１０９      フィルム走行検知回路
１１０      スイッチセンス回路
１１１      ＬＣＤ駆動回路
１１２      レンズマイコン
ＳＷ１      レリーズ釦の第１ストロークスイッチ
ＳＷ２      レリーズ釦の第２ストロークスイッチ
【図１】
2005173258.tif 000003
【図２】
2005173258.tif 000004
【図３】
2005173258.tif 000005
【図４】
2005173258.tif 000006
【図５】
2005173258.tif 000007